(57)【要約】【課題】画像表示装置を使用する場所において最適な画質調整パラメータを自動的に設定する。【解決手段】画像表示装置としてのプロジェクタＰＪと、前記プロジェクタＰＪに対し画質調整パラメータの設定が可能な管理サーバＳＶとを有する画像表示システムであって、前記管理サーバＳＶは、プロジェクタＰＪの使用場所を特定する機能と、特定された使用場所に対応する画質調整パラメータを取得する機能と、取得した画質調整パラメータを前記画像表示装置に与える機能とを有する。【選択図】図１
2007139855.tif 000002
【特許請求の範囲】
【請求項１】
画像表示装置と、前記画像表示装置に対し画質調整パラメータの設定が可能な管理サーバとを有する画像表示システムであって、
前記管理サーバは、前記画像表示装置の使用場所を特定する機能と、特定された使用場所に対応する画質調整パラメータを取得する機能と、取得した画質調整パラメータを前記画像表示装置に与える機能とを有することを特徴とする画像表示システム。
【請求項２】
請求項１に記載の画像表示システムにおいて、
前記画像表示装置と前記管理サーバとはネットワークを介して接続されることを特徴とする画像表示システム。
【請求項３】
請求項２に記載の画像表示システムにおいて、
前記ネットワークに接続された画像表示装置に対して前記ネットワーク上のアドレスの割り当てを可能とするネットワーク接続管理部を有することを特徴とする画像表示システム。
【請求項４】
請求項３に記載の画像表示システムにおいて、
前記ネットワーク接続管理部は、前記管理サーバが有することを特徴とする画像表示システム。
【請求項５】
請求項２〜４のいずれかに記載の画像表示システムにおいて、
前記画像表示装置を前記ネットワークに接続可能なネットワーク接続手段を、前記画像表示装置の使用場所それぞれに対応して設けることを特徴とする画像表示システム。
【請求項６】
請求項５に記載の画像表示システムにおいて、
前記ネットワーク接続手段は、スイッチングハブに設けられたポートであることを特徴とする画像表示システム。
【請求項７】
請求項５に記載の画像表示システムにおいて、
前記ネットワーク接続手段は、アクセスポイントであることを特徴とする画像表示システム。
【請求項８】
請求項５〜７のいずれかに記載の画像表示システムにおいて、
前記管理サーバは、前記ネットワーク接続手段と使用場所との対応を示す情報、前記画像表示装置に付与された固有の情報と当該画像表示装置の機種との対応を示す情報、前記画像表示装置の機種と当該機種の使用場所と当該使用場所に対応する画質調整パラメータとの対応を示す情報を有することを特徴とする画像表示システム。
【請求項９】
請求項５〜７のいずれかに記載の画像表示システムにおいて、
前記管理サーバは、前記ネットワーク接続手段と使用場所との対応を示す情報、前記画像表示装置に付与された固有の情報と当該画像表示装置の機種との対応を示す情報、前記画像表示装置の機種と当該機種の使用場所と当該使用場所での前記画像表示装置の使用時刻と当該使用時刻に対応する画質調整パラメータとの対応を示す情報を有することを特徴とする画像表示システム。
【請求項１０】
請求項８または９に記載の画像表示システムにおいて、
前記画質調整パラメータが、過去に使用された画質調整パラメータであることを特徴とする画像表示システム。
【請求項１１】
請求項１〜１０のいずれかに記載の画像表示システムにおいて、
前記画質調整パラメータは、前記画像表示装置に用意された複数のカラーモードのうちのいずれかのカラーモードを設定するデータであることを特徴とする画像表示システム。
【請求項１２】
請求項１〜１０のいずれかに記載の画像表示システムにおいて、
前記画質調整パラメータは、前記画像表示装置のカラー調整の度合いを詳細に設定可能なデータであることを特徴とする画像表示システム。
【請求項１３】
請求項１〜１２のいずれかに記載の画像表示システムにおいて、
前記管理サーバは、前記画像表示装置に付与された固有の情報に基づいて機器認証を行うことを特徴とする画像表示システム。
【請求項１４】
請求項１〜１３のいずれかに記載の画像表示システムにおいて、
前記管理サーバは、前記画像表示装置を使用するユーザに付与された固有の情報に基づいてユーザ認証を行うことを特徴とする画像表示システム。
【請求項１５】
画像表示装置と、前記画像表示装置に対し画質調整パラメータの設定が可能な管理サーバとを有する画像表示システムに用いられる前記管理サーバであって、
前記画像表示装置の使用場所を特定する機能と、
特定された使用場所に対応する画質調整パラメータを取得する機能と、
取得した画質調整パラメータを前記画像表示装置に与える機能と、
を有することを特徴とする管理サーバ。
【請求項１６】
画像表示装置と、前記画像表示装置に対し画質調整パラメータを設定する管理サーバとを有する画像表示システムに用いられる前記管理サーバに、前記画質調整パラメータの設定を実行させる管理サーバの画質調整パラメータ設定プログラムであって、
前記画像表示装置の使用場所を特定するステップと、
特定された使用場所に対応する画質調整パラメータを取得するステップと、
取得した画質調整パラメータを前記画像表示装置に与えるステップと、
を有することを特徴とする管理サーバの画質調整パラメータ設定プログラム。
【発明の詳細な説明】
【技術分野】
【０００１】
本発明は、画像表示装置の使用場所に対応した画質調整を可能とする画像表示システム、画像表示システムに用いられる管理サーバ及び管理サーバの画質調整パラメータ設定プログラムに関する。
【背景技術】
【０００２】
近年、投写型の画像表示装置（プロジェクタという）がビジネスにおけるプレゼンテーションや一般家庭におけるホームシアターなどの用途として広く普及しつつある。また、小型・軽量化技術の進歩により、従来、据え付け型として利用されることの多かったプロジェクタが、自由に持ち運べるようになってきた。
【０００３】
このため、オフィスなどにおいては、プロジェクタをその都度プレゼンテーション会場に持ち運んで設置することができる。また、家庭ではリビングルームでの映画鑑賞や、子供部屋でのゲームなど使用場所を選ぶことなくプロジェクタを利用することができるようになってきた。
【０００４】
現在、プロジェクタのカラー調整などの画質調整は殆ど手動で行うのが一般的である。このため、プロジェクタを生産するメーカ側では、ユーザの操作負担を軽減し、簡単に画質調整が行えるように、予め決められたカラーモードを幾つか用意し、投写するコンテンツや使用場所に応じてリモートコントローラやプロジェクタ本体の操作ボタンなどにより、最適なカラーモードの設定が行えるようにしている。
【０００５】
なお、上述のカラーモードとしては、明るい部屋での投写に適したダイナミックモード、昼間にカーテンを閉めた部屋での投写に適したリビングモード、わずかに照明を残した暗い部屋での投写に適したナチュラルモード、遮光した部屋での投写に適したシアターモードなどが一例として挙げられる。
【０００６】
ユーザはこれら複数のカラーモードの中から最適なカラーモードを選択して設定することにより、プロジェクタの使用場所やコンテンツに応じた最適な画質での投写が可能となる。
【０００７】
しかしながら、前述したように、プロジェクタを自由に持ち運べるようになってきたことから、使用場所がその使用目的やプロジェクタを使用するユーザによって、その都度、変わることが多くなってきている。この場合、使用場所によって最適なカラーモードが異なるため、ユーザは使用場所に適したカラーモードの設定を行う必要があり、さらには、より詳細な画質調整（たとえば、ＲＧＢの各値、色温度、シャープネス、ガンマ値など）を行う必要がある。なお、プロジェクタの使用場所において最適なカラーモードの設定やより詳細な画質調整などを行わなくても投写は可能であることはいうまでもないが、使用場所において最適な画質で投写を行うことがより望ましい。
【０００８】
このような画質調整を容易に行えるようにする技術も従来から幾つか提案されている（たとえば特許文献１参照）。特許文献１に開示された技術は、あるユーザが独自に設定した画質調整のためのパラメータ（画質調整パラメータという）をネットワークに接続されたサーバに保存し、その画質調整パラメータを他のユーザが利用可能とするものであり、画質調整パラメータを複数のユーザが共有できるようにしたものである。これによって、あるユーザが最適であるとして設定した画質調整パラメータを他のユーザがサーバから取得することができるので画質調整を簡略化することができる。
【０００９】
【特許文献１】特開２００４−９３７３１号公報
【発明の開示】
【発明が解決しようとする課題】
【００１０】
しかしながら、特許文献１に開示された技術で用いられる画質調整パラメータは、個々のユーザがそれぞれの好みで設定されたパラメータであるので、同じような条件での投写を行う場合であっても他のユーザにとって最適なパラメータであるとは限らない。
【００１１】
また、特許文献１に開示された技術で用いられる画質調整パラメータは、必ずしも、使用場所の状況に適した画質調整パラメータであるとはいえない。すなわち、特許文献１に開示された技術は、同じ機種のプロジェクタを同一ユーザが同一環境で使用する場合には非常に有効な技術ではあるが、あるユーザがたとえば自宅のリビングルームでプロジェクタの投写を行おうとしたとき、どのユーザの設定したどの画質調整パラメータが当該リビングルームで最適なのかを判断することは難しいと考えられる。
【００１２】
そこで本発明は、画像表示装置に対しその画像表示装置の使用場所に対応する画質調整パラメータを設定可能とする画像表示システム、画像表示システムに用いられる管理サーバ及び管理サーバの画質調整パラメータ設定プログラムを提供することを目的とする。
【課題を解決するための手段】
【００１３】
（１）本発明の画像表示システムは、画像表示装置と、前記画像表示装置に対し画質調整パラメータの設定が可能な管理サーバとを有する画像表示システムであって、前記管理サーバは、前記画像表示装置の使用場所を特定する機能と、特定された使用場所に対応する画質調整パラメータを取得する機能と、取得した画質調整パラメータを前記画像表示装置に与える機能とを有することを特徴とする。
このように本発明の画像表示システムによれば、画像表示装置に対しその画像表示装置の使用場所に対応する画質調整パラメータを設定することができる。なお、ここでいう「使用場所に対応する画質調整パラメータ」というのは、その使用場所によく適した画質調整パラメータであることを意味し、後に説明する実施形態では、「使用場所に最適な画質調整パラメータ」のように表記する。これは、「使用時刻に対応した画質調整パラメータ」などについても同様である。
【００１４】
（２）前記（１）に記載の画像表示装置においては、前記画像表示装置と前記管理サーバとはネットワークを介して接続されることが好ましい。
このように、画像表示装置と前記管理サーバとがネットワークにより接続されることにより、管理サーバ側では様々な使用場所に設置された複数の画像表示装置に対して画質調整パラメータの設定を容易に行うことができる。
【００１５】
（３）前記（２）に記載の画像表示装置においては、前記ネットワークに接続された画像表示装置に対して前記ネットワーク上のアドレスの割り当てを可能とするネットワーク接続管理部を有することが好ましい。
これによって、ネットワークに接続された画像表示装置に対してネットワーク上のアドレス（ＩＰアドレスなど）を付与することができる。
【００１６】
（４）前記（３）に記載の画像表示装置においては、前記ネットワーク接続管理部は、前記管理サーバが有することが好ましい。
これによって、画像表示システムの構成を簡素化することができる。なお、ネットワーク接続管理部は管理サーバとは別体として設けることも可能である。
【００１７】
（５）前記（２）〜（４）のいずれかに記載の画像表示装置においては、前記画像表示装置を前記ネットワークに接続可能なネットワーク接続手段を、前記画像表示装置の使用場所それぞれに対応して設けることが好ましい。
これにより、画像表示装置をその使用場所に対応する前記ネットワーク接続手段に接続することによって、当該画像表示装置をネットワークに接続することができる。また、ネットワーク接続手段が各使用場所に対応していることにより、管理サーバ側では、画像表示装置がどのネットワーク接続手段に接続されたかによって、画像表示装置の使用場所の特定を行うことができる。
【００１８】
（６）前記（５）に記載の画像表示装置においては、前記ネットワーク接続手段は、スイッチングハブに設けられたポートであることが好ましい。
これによって、各使用場所において画像表示装置を容易にネットワークに接続することができ、かつ、ネットワーク接続手段としての各ポートが各使用場所に対応していることにより、管理サーバ側では、画像表示装置がどのポートに接続されたかによって、画像表示装置の使用場所の特定を容易、かつ、確実に行うことができる。
【００１９】
（７）前記（５）に記載の画像表示装置においては、前記ネットワーク接続手段は、アクセスポイントであることもまた好ましい。
このように、ネットワーク接続手段をアクセスポイントすることによっても、前記（６）同様、各使用場所において画像表示装置を容易にネットワークに接続することができ、かつ、ネットワーク接続手段としての各アクセスポイントが各使用場所に対応していることにより、管理サーバ側では、画像表示装置がどのアクセスポイントに接続されたかによって、画像表示装置の使用場所の特定を容易、かつ、確実に行うことができる。
【００２０】
（８）前記（５）〜（７）のいずれかに記載の画像表示装置においては、前記管理サーバは、前記ネットワーク接続手段と使用場所との対応を示す情報、前記画像表示装置に付与された固有の情報と当該画像表示装置の機種との対応を示す情報、前記画像表示装置の機種と当該機種の使用場所と当該使用場所に対応する画質調整パラメータとの対応を示す情報を有することが好ましい。
これによって、管理サーバ側では、画像表示装置を使用する使用場所を特定するとともに当該画像表示装置の機種を特定することができ、特定された機種と使用場所とから当該機種と当該使用場所に対応する画質調整パラメータを取得することができる。
【００２１】
（９）前記（５）〜（７）のいずれかに記載の画像表示装置においては、前記管理サーバは、前記ネットワーク接続手段と使用場所との対応を示す情報、前記画像表示装置に付与された固有の情報と当該画像表示装置の機種との対応を示す情報、前記画像表示装置の機種と当該機種の使用場所と当該使用場所での前記画像表示装置の使用時刻と当該使用時刻に対応する画質調整パラメータとの対応を示す情報を有することもまた好ましい。
【００２２】
これによって、管理サーバ側では、特定された機種と使用場所と使用時刻から当該機種と使用場所と使用時刻に対応する画質調整パラメータを取得することができる。このように、画像表示装置の機種、使用場所の他に、その使用場所での画像表示装置の使用時刻に対応する画質調整パラメータを取得することによって、ユーザが同じ機種を同じ部屋で使用する場合であっても、使用時刻に対応する画質調整パラメータで画像表示装置を動作させることができる。
【００２３】
なお、具体的には、各使用場所ごとに複数の時間帯を設定し、各時間帯に対応する画質調整パラメータが設定されている。そして、管理サーバ側では画像表示装置の使用時刻がどの時間帯に属するかを判定して、当該画像表示装置に対する画質調整パラメータを設定するようにしている。
【００２４】
（１０）前記（８）または（９）に記載の画像表示装置においては、前記画質調整パラメータが、過去に使用された画質調整パラメータであることもまた好ましい。
これによって、前記（８）に記載の画像表示システムにおいては、管理サーバＳＶ側では、画像表示装置の機種、使用場所ごとにその画像表示装置を使用するユーザの好みが反映された画質調整パラメータを画像表示装置に設定することができる。また、前記（９）に記載の画像表示システムにおいては、画像表示装置の機種、使用場所だけではなく画像表示装置の使用時刻ごとにその画像表示装置を使用するユーザの好みが反映された画質調整パラメータを画像表示装置に設定することができる。
【００２５】
（１１）前記（１）〜（１０）のいずれかに記載の画像表示装置においては、前記画質調整パラメータは、前記画像表示装置に設定された複数のカラーモードのうちのいずれかのカラーモードを設定するためのデータであることが好ましい。
これにより、各使用場所において当該使用場所で使用する画像表示装置に対し、最適なカラーモードの設定を自動的に行うことができる。
【００２６】
（１２）前記（１）〜（１０）のいずれかに記載の画像表示装置においては、前記画質調整パラメータは、前記画像表示装置のカラー調整の度合いを詳細に設定可能なデータであることが好ましい。
これにより、各使用場所において当該使用場所で使用する画像表示装置に対するカラー調整をより詳細に行うことができる。カラー調整の度合いをより詳細に設定する例としては、たとえば、ＲＧＢ（ＣＭＹを加えることも可）の各値、明るさ、コントラスト、色相や彩度、色温度や肌色温度、ガンマ補正などを最適な値に設定することが考えられる。
【００２７】
（１３）前記（１）〜（１２）のいずれかに記載の画像表示装置においては、前記管理サーバは、前記画像表示装置に付与された固有の情報に基づいて機器認証を行うことが可能である。
このように、機器認証を行うことにより、ユーザの使用する画像表示装置についての管理を管理サーバ側で行うことができ、たとえば、本発明の画像表示システムを有料のサービスシステムとする場合などにおいて有効なものとなる。
【００２８】
（１４）前記（１）〜（１３）のいずれかに記載の画像表示装置においては、前記管理サーバは、前記画像表示装置を使用するユーザに付与された固有の情報に基づいてユーザ認証を行うことも可能である。
このようなユーザ認証を行うことによって管理サーバ側でユーザの画像表示装置の使用状況などを把握することができる。また、機器認証とユーザ認証とを行うことにより、どのユーザがどの画像表示装置をどのように使用しているかを把握することができるので、管理サーバ側では様々な管理を容易に行うことができる。したがって、本発明の画像表示システムを有料のサービスシステムとする場合などにおいて有効なものとなる。
【００２９】
（１５）本発明の管理サーバは、画像表示装置と、前記画像表示装置に対し画質調整パラメータの設定が可能な管理サーバとを有する画像表示システムに用いられる管理サーバであって、前記画像表示装置の使用場所を特定する機能と、特定された使用場所に対応する画質調整パラメータを取得する機能と、取得した画質調整パラメータを前記画像表示装置に与える機能とを有することを特徴とする。
管理サーバがこのような機能を有することによって、前記（１）に記載の画像表示システムを容易に構成することができる。なお、（１５）に記載の管理サーバにおいても、前記（２）〜（１４）の画像表示システムの特徴を有することが望ましい。
【００３０】
（１６）本発明の管理サーバの画質調整パラメータ設定プログラムは、画像表示装置と、前記画像表示装置に対し画質調整パラメータの設定が可能な管理サーバとを有する画像表示システムに用いられる前記管理サーバに、前記画質調整パラメータの設定を実行させる管理サーバの画質調整パラメータ設定プログラムであって、前記画像表示装置の使用場所を特定するステップと、特定された使用場所に対応する画質調整パラメータを取得するステップと、取得した画質調整パラメータを前記画像表示装置に与えるステップとを有することを特徴とする。
【００３１】
このような管理サーバの画質調整パラメータ設定プログラムを前記管理サーバで実行させることにより、前記画像表示装置の使用場所に対応する画質調整パラメータを前記画像表示装置に与えることができる。なお、（１６）に記載の管理サーバの画質調整パラメータ設定プログラムにおいても、前記（２）〜（１４）の画像表示システムの特徴を有することが望ましい。
【発明を実施するための最良の形態】
【００３２】
以下、本発明の実施形態について説明する。なお、以下に示す各実施形態では、画像表示装置はプロジェクタであるとして説明する。
【００３３】
[実施形態１]
図１は実施形態１に係る画像表示システムの構成を示す図である。図１に示すように、実施形態１に係る画像表示システムは、ＬＡＮなどのネットワークＮＷを介在して接続されたユーザ側（オフィスや家庭など）と機器制御側とに分けられる。
【００３４】
ユーザ側（オフィスとする）にはプロジェクタＰＪの使用場所として、会議室Ａ１、視聴覚室Ｂ１、共用スペースＣ１など、複数の部屋が存在し、これら複数の部屋それぞれにはプロジェクタＰＪを接続するための接続端子Ｔ１，Ｔ２，Ｔ３が設けられている。そして、これら各接続端子Ｔ１，Ｔ２，Ｔ３は、プロジェクタＰＪをネットワークＮＷに接続可能なネットワーク接続手段（スイッチングハブＳＷに設けられた複数のポートＰ１，Ｐ２，・・・とする）に接続ケーブルＣＢを介して接続されている。
【００３５】
なお、スイッチングハブＳＷの各ポートＰ１，Ｐ２，Ｐ３は、会議室Ａ１、視聴覚室Ｂ１、共用スペースＣ１などの部屋に１対１で対応して設けられているものとする。また、スイッチングハブＳＷはネットワークＮＷに接続されている。
【００３６】
図２はスイッチングハブＳＷの各ポートＰ１，Ｐ２，Ｐ３，・・・と各部屋（図１では会議室Ａ１、視聴覚室Ｂ１、共用スペースＣ１）との対応を説明する図である。図２の例では、ポートＰ１は会議室Ａ１、ポートＰ２は視聴覚室Ｂ１，ポートＰ３は共用スペースＣ１に対応している。
【００３７】
したがって、たとえば、会議室Ａ１で使用されるプロジェクタＰＪは、当該プロジェクタＰＪを会議室Ａ１に設けられた接続端子Ｔ１に接続することによりポートＰ１に接続される。他の部屋も同様に、その部屋で使用されるプロジェクタＰＪは対応するポートに接続される。
【００３８】
なお、図１及び図２では、各部屋で使用されるプロジェクタＰＪは、各部屋に設けられた接続端子Ｔ１，Ｔ２，・・・にプロジェクタＰＪを接続することによって対応するポートに接続されるような構成となっているが、プロジェクタＰＪを直接、対応するポートに接続できるようになっていれば接続端子Ｔ１，Ｔ２，・・・は特に設ける必要はない。
【００３９】
図３は機器制御側としての管理サーバＳＶの構成を示す図である。管理サーバＳＶは、図３に示すように、予め登録されている各機器（プロジェクタＰＪ）に関する情報を記憶する機器情報データベースＤＢ１、予め登録されているプロジェクタＰＪの機種ごとに、機種と使用場所とから最適な画質調整パラメータの取得が可能な補正情報データベースＤＢ２、ＤＨＣＰ（Dynamic Host Configuration Protocol）管理情報１１に基づいて、各プロジェクタＰＪに対してＩＰアドレス割り当てなどの処理を行うネットワーク接続管理部としてのＤＨＣＰ処理部１２、各プロジェクタＰＪを管理するための管理情報１３（図８参照）の生成や機器情報データベースＤＢ１及び補正情報データベースＤＢ２を参照して各プロジェクタＰＪに対する画質調整パラメータを取得する機能を有するプロジェクタ管理制御部１４、ネットワークＮＷを介して各プロジェクタＰＪとの間で通信が可能な送受信部１５を有している。
【００４０】
管理サーバＳＶはこれらの他に、ユーザ認証を行う際に用いられる情報を記憶する認証情報データベースＤＢ３を設けるようにしてもよい。なお、ユーザ認証については実施形態３で説明するので実施形態１においては説明を省略する。
【００４１】
機器情報データベースＤＢ１は、機種取得テーブル（図６参照）を有し、この機種取得テーブルによって、予め登録された各プロジェクタＰＪに付与された固有の情報（機器ＩＤという）によりそのプロジェクタの機種を特定することができる。
【００４２】
補正情報データベースＤＢ２は、画質調整パラメータ取得テーブル（図７参照）を有し、この画質調整パラメータ取得テーブルによって、予め登録された各プロジェクタＰＪの機種とそのプロジェクタＰＪを使用する部屋とから、当該プロジェクタＰＪに対する最適な画質調整パラメータを取得することができる。
【００４３】
なお、本発明の各実施形態（実施形態１〜４）においては、画質調整パラメータは各プロジェクタに用意された複数のカラーモード（ダイナミックモード、シアターモード、リビングモードなど）のうちのいずれかのカラーモードを設定するためのデータであるとする。
【００４４】
図４はユーザ側で用いられるプロジェクタＰＪの構成を示す図である。プロジェクタＰＪは、図４に示すように、光学系２１と制御系２２とを有している。制御系２２は一般的なプロジェクタに元々備わっている画像信号処理部・制御部２２１及び補正パラメータ記憶部２２２と、本発明を実現する上で必要となる管理情報入出力部２２３及び識別情報記憶部２２４を有している。このほか、ユーザ認証を行う場合は、ユーザ認証に必要な情報としてのユーザ認証情報（ユーザＩＤなど）を記憶する認証情報記憶部２２５を有するようにしてもよい。
【００４５】
管理情報入出力部２２３は、管理サーバＳＶに対して、機器ＩＤなど自身の識別情報やユーザ認証情報などを、ネットワークＮＷを介して管理サーバＳＶに出力可能とするとともに、管理サーバＳＶから送られてくる画質調整パラメータなどを入力可能とするものである。
【００４６】
補正パラメータ記憶部２２２には、予めデフォルトとして設定されている補正パラメータ値（画質調整パラメータなど）が記憶されている。したがって、プロジェクタＰＪは、管理サーバＳＶからの画質調整パラメータを入力しない状態では、画像信号処理部及び制御部２２１によって、補正パラメータ記憶部２２２にデフォルトとして設定されている補正パラメータによる画像信号処理がなされる。一方、管理情報入出力部２２３で管理サーバＳＶからの画質調整パラメータを入力した場合には、画像信号処理部及び制御部２２１は、管理サーバＳＶからの画質調整パラメータを用いた画像信号処理を行う。
【００４７】
識別情報記憶部２２４は自身の機器ＩＤを記憶するもので、プロジェクタのメーカ側において工場出荷時にＲＯＭなどに書き込むようにするが、プロジェクタの管理者（ユーザなど）が変更可能であってもよい。
なお、図１〜図４に示す構成は実施形態１のみならず、後に説明する各実施形態においても用いることができる。
【００４８】
図５はスイッチングハブＳＷと当該スイッチングハブＳＷに設けられたポートＰ１，Ｐ２，・・・と部屋の対応を示す図である。なお、図５ではスイッチングハブＳＷとして複数のスイッチングハブＳＷ１，ＳＷ２，・・・が存在する場合が示されている。これら各スイッチングハブＳＷ１，ＳＷ２，・・・の各ポートＰ１，Ｐ２，・・・は、それぞれの部屋に対応付けられている。
【００４９】
たとえば、スイッチングハブＳＷ１のポートＰ１，Ｐ２，Ｐ３は、図１で示したように、会議室Ａ１，視聴覚室Ｂ１、共用スペースＣ１に対応付けられている。また、スイッチングハブＳＷ２のポートＰ１，Ｐ２，Ｐ３は、図１では示されていないが、会議室Ａ２，会議室Ａ３、共用スペースＣ２に対応付けられているものとする。
【００５０】
図６は管理サーバＳＶの機器情報データベースＤＢ１が有する機種取得テーブルの一例を示す図である。機種取得テーブルは、図６に示すように、各プロジェクタＰＪの機器ＩＤごとに該機器ＩＤに対応するプロジェクタの機種が登録され、機器ＩＤによって機種を特定することができる。また、必要に応じて、ＭＡＣアドレス（Media Access Control address）が各機器ＩＤに対応して登録される。たとえば、機器ＩＤ「ＰＪ０００１」を有する機種は「ＥＭＰ−ｘｘｘ」であって、そのＭＡＣアドレスは「００：１１：２２：３３：４４：ＡＡ」であるという具合である。
【００５１】
なお、ＭＡＣアドレスは機器認証を行う場合に用いることができるが、機器認証は機器ＩＤのみを利用して行うこともできる。機器認証を機器ＩＤによって行う場合、機器情報データベースＤＢ１はＭＡＣアドレスを持つ必要性は特になくなる。
【００５２】
図７は補正情報データベースＤＢ２が有する画質調整パラメータ取得テーブルの一例を示す図である。図７（ａ）は図１で示したオフィス用などとして用意された画質調整パラメータ取得テーブルの一例を示す図であり、図７（ｂ）はたとえば家庭用などとして用意された画質調整パラメータ取得テーブルの一例を示す図である。
【００５３】
図７（ａ）の例では、「ＥＭＰ−ｘｘｘ」という機種の例が示されており、当該機種のプロジェクタを会議室Ａ１で使用する場合には、最適な画質調整パラメータとして「プレゼンテーションモード」、視聴覚室Ｂ１で使用する場合には、最適な画質調整パラメータとして「シアターモード」というように、機種と部屋とカラーモードとが対応付けられている。
【００５４】
また、図７（ｂ）の例は、プロジェクタを家庭内で使用する場合であるため、たとえば、「ＥＭＰ−ｘｘｘ」の機種のプロジェクタをリビングで使用する場合には、最適な画質調整パラメータとして「リビングモード」、子供部屋で使用する場合には、最適な画質調整パラメータとして「ダイナミックモード」というようなカラーモードが各部屋ごとに対応付けられている。
【００５５】
このような画質調整パラメータ取得テーブルによって、使用するプロジェクタの機種とその機種の使用場所とから、当該プロジェクタに対する最適な画質調整パラメータを取得することができる。
【００５６】
図８は管理サーバＳＶが有する管理情報１３の一例を示す図である。管理情報１３は図８に示すように、予め登録されたプロジェクタの機器ＩＤ、ＩＰアドレス、使用場所（部屋とする）、設置した時刻（使用時刻とする）が対応付けられた内容となっている。ただし、登録されたプロジェクタであっても、その時点で使用状態となっていないプロジェクタについては、ＩＰアドレス、部屋、使用時刻は空欄となっている。
【００５７】
図８の例では、「ＰＪ０００２」の機器ＩＤを有するプロジェクタは、その時点においてどこの部屋にも設置されておらず、当然のことながらＩＰアドレスの取得もなされていないので、ＩＰアドレス、部屋、使用時刻は空欄となっている。また、プロジェクタの使用が終了して、ＩＰアドレスが解放された場合には、ＩＰアドレス、部屋、使用時刻は更新（削除）されて空欄となる。
【００５８】
図９は実施形態１に係る画像表示システムの全体的な処理の流れを説明するフローチャートである。なお、図９（ａ）はプロジェクタＰＪ側の処理の流れ、図９（ｂ）はスイッチングハブＳＷ側の処理の流れ、図９（ｃ）は管理サーバＳＶ側の処理の流れを示す図である。
【００５９】
図９において、たとえば、プロジェクタＰＪをたとえば会議室Ａ１の接続端子Ｔ１に接続したとする。これにより、そのプロジェクタＰＪはスイッチングハブＳＷのポートＰ１経由でネットワークＮＷに接続される（ステップＳ１）。続いて、プロジェクタＰＪは管理サーバＳＶに対し、ＩＰアドレスの割り当てを要求する（ステップＳ２）。
【００６０】
一方、スイッチングハブＳＷではプロジェクタＰＪからの機器ＩＤを記憶し（ステップＳ１１）、プロジェクタＰＪからのＩＰアドレス割り当て要求を検知して、そのＩＰアドレス割り当て要求を管理サーバＳＶに転送する(ステップＳ１２)。なお、スイッチングハブＳＷが複数存在する場合には、各スイッチングハブは、ＩＰアドレス割り当て要求とともに、自身の識別ＩＤも管理サーバＳＶに送る。これにより、管理サーバＳＶではプロジェクタのＩＰアドレス割り当て要求がどのスイッチングハブを経由して送られてきたのかを知ることができる。
【００６１】
管理サーバＳＶは、ＩＰアドレス割り当て要求を出したプロジェクタに対し、ＤＨＣＰ処理部１２によってＩＰアドレスの割り当てを行い、その結果をスイッチングハブＳＷ経由でプロジェクタＰＪに送信する（ステップＳ２１）。
【００６２】
スイッチングハブＳＷは、管理サーバＳＶから送られてきたＩＰアドレスを記憶し(ステップＳ１３)、プロジェクタＰＪのＩＰアドレスと機器ＩＤ、自身のポート（プロジェクタＰＪが接続されたポート）との組み合わせを記憶する（ステップＳ１４）。
【００６３】
プロジェクタＰＪは、スイッチングハブＳＷ経由で管理サーバＳＶから送信されてきたＩＰアドレスを受け取り、そのＩＰアドレスに自身を設定する（ステップＳ３）。その後、管理サーバＳＶは、スイッチングハブＳＷに対し、ＳＮＭＰ（Simple Network Management Protocol）などを利用して、接続されたプロジェクタＰＪの機器ＩＤの要求及び取得を行う（ステップＳ２２）。これにより、スイッチングハブＳＷは、管理サーバＳＶから要求されたプロジェクタの機器ＩＤを管理サーバＳＶに送信する（ステップＳ１５）。
【００６４】
管理サーバＳＶは、取得したプロジェクタの機器ＩＤから機器情報データベースＤＢ１の機種取得テーブル（図６参照）を用いて機種を特定する（ステップＳ２３）。また、管理サーバＳＶは、スイッチングハブＳＷの各ポートとの対応関係（図５参照）からプロジェクタの設置された部屋を特定する（ステップＳ２４）。
【００６５】
そして、補正情報データベースＤＢ２の画質調整パラメータ取得テーブル（図７参照)から機種と部屋に該当する画質調整パラメータを取得し（ステップＳ２５）、取得した画質調整パラメータをスイッチングハブＳＷに送信する（ステップＳ２６）。これにより、スイッチングハブＳＷは、管理サーバＳＶから送信されてきた画質調整パラメータを該当するプロジェクタＰＪに転送する（ステップＳ１６）。
【００６６】
プロジェクタＰＪは、管理サーバＳＶからスイッチングハブＳＷを経由して送信されてきた画質調整パラメータを受け取り、受け取った画質調整パラメータに基づいて自ら画質調整を実行し（ステップＳ４）、投写準備をして投写を開始する（ステップＳ５）。
【００６７】
図１０は実施形態１に係る画像表示システムにおけるプロジェクタの処理の流れをより詳細に説明するフローチャートである。まず、プロジェクタＰＪの電源をＯＮしてネットワークＮＷに接続する（ステップＳ３１，Ｓ３２）。プロジェクタＰＪがネットワークＮＷに接続されたら、自身の機器ＩＤをスイッチングハブＳＷに送信し（ステップＳ３３）、続いて、管理サーバＳＶに対しＩＰアドレス割り当て要求を行う(ステップＳ３４)。
【００６８】
そして、ＩＰアドレスが割り当てられたかどうかを判定し(ステップＳ３５)、ＩＰアドレスの割り当てがなされた場合には、割り当てられたＩＰアドレスに自身を設定するとともにネットワーク環境を設定する(ステップＳ３６)。一方、ＩＰアドレスの割り当てがなされなかった場合は、ステップＳ３４に戻り、再度、ＩＰアドレス割り当て要求を行う。このＩＰアドレスの割り当て要求を何度か行っても、ＩＰアドレスが割り当てられなかった場合は、ネットワークＮＷへの接続をあきらめて（自動での画質調整パラメータ設定をあきらめて）投写を開始する。
【００６９】
そして、スイッチングハブＳＷ経由で管理サーバＳＶからの画質調整パラメータを受け取り（ステップＳ３７）、受け取った画質調整パラメータで自身の画質調整パラメータを設定し(ステップＳ３８)、投写準備を行い投写状態となる（ステップＳ３９，Ｓ４０）。投写状態において電源ＯＦＦを判定し(ステップＳ４１)、電源ＯＦＦであれば管理サーバＳＶに対し、ＩＰアドレスの解放を要求する（ステップＳ４２）。ここで、ＩＰアドレスの解放が可能であれば、ネットワーク環境を初期化する（ステップＳ４３，Ｓ４４）。
【００７０】
なお、ＩＰアドレスの解放要求を何度か行っても、ＩＰアドレスが解放されなかった場合は、そのまま終了する。これは、ＤＨＣＰでは、ＩＰアドレスには使用可能期間が設定されており、その使用可能期間が切れた段階で管理サーバＳＶ側がＩＰアドレスを解放する処理を行うので、プロジェクタＰＪ側でそのまま終了しても何等問題はない。
【００７１】
図１１は実施形態１に係る画像表示システムにおける管理サーバＳＶの処理の流れをより詳細に説明するフローチャートである。図１１（ａ）は管理サーバＳＶが行うプロジェクタ接続・設定処理であり、図１１（ｂ）は管理サーバＳＶが行うプロジェクタ切断・終了処理である。
【００７２】
まず、図１１（ａ）に示すように、プロジェクタＰＪの接続待ちの状態において、ＩＰアドレス割り当て要求があるか否かを判定し（ステップＳ５１，Ｓ５２）、ＩＰアドレス割り当て要求があれば、ＤＨＣＰ処理部１２がＤＨＣＰ管理情報１１を用いてＩＰアドレスの割り当てを行って、ＤＨＣＰ管理情報１１を更新する（ステップＳ５３）。
【００７３】
そして、ＩＰアドレスの割り当て結果をスイッチングハブＳＷ経由でプロジェクタＰＪに送信し（ステップＳ５４）、スイッチングハブＳＷに対し、ＳＮＭＰなどを利用して、接続されたプロジェクタＰＪの機器ＩＤの要求及び取得を行う（ステップＳ５５）。続いて、取得した機器ＩＤとプロジェクタＰＪの機種とから、機器情報データベースＤＢ１の機種取得テーブル（図６参照）を用いて機種を特定し（ステップＳ５６）、スイッチングハブＳＷの各ポートとの対応関係（図５参照）からプロジェクタＰＪの設置された部屋を特定する（ステップＳ５７）。続いて、現在時刻を取得し、取得した現在時刻を使用時刻として管理情報１３（図８参照）を更新する（ステップＳ５８）。
【００７４】
そして、補正情報データベースＤＢ２の画質調整パラメータ取得テーブル（図７参照）から機種と部屋に該当する画質調整パラメータを取得し（ステップＳ５９）、取得した画質調整パラメータをスイッチングハブＳＷ経由で該当するプロジェクタＰＪに送信する（ステップＳ６０）。
【００７５】
また、プロジェクタＰＪの切断・終了処理は、図１１（ｂ）に示すように、プロジェクタＰＪの接続待ちの状態において、ＩＰアドレスの解放要求があるか否かを判定し（ステップＳ６１，Ｓ６２）、ＩＰアドレスの解放要求があれば、該当するＩＰアドレスを解放し、ＤＨＣＰ管理情報１１を更新する(ステップＳ６３)。そして、ＩＰアドレスの解放結果をプロジェクタＰＪに送信し、管理情報１３を更新する（ステップＳ６４，Ｓ６５）。
【００７６】
図１２は実施形態１に係る画像表示システムにおけるスイッチングハブＳＷの処理の流れをより詳細に説明するフローチャートである。図１２（ａ）はプロジェクタの接続時処理であり、図１２（ｂ）は管理サーバＳＶからの要求に対する処理である。
【００７７】
プロジェクタの接続時処理は、図１２（ａ）に示すように、プロジェクタからの接続待ちの状態において、ＩＰアドレス割り当て要求があるか否かを判定し（ステップＳ７１，Ｓ７２）、ＩＰアドレス割り当て要求があれば、接続されたプロジェクタの機器ＩＤと接続されたポートとを記憶する（ステップＳ７３）。
【００７８】
そして、スイッチングハブＳＷ自身の識別ＩＤ（スイッチングハブが複数存在する場合）とＩＰアドレス割り当て要求とを管理サーバＳＶに転送する（ステップＳ７４）。続いて、ＩＰアドレス割り当て結果待ち状態においてＩＰアドレスの割り当て結果の有無を判定する（ステップＳ７５，Ｓ７６）。ここで、ＩＰアドレスの割り当て結果があれば、ＩＰアドレス割り当て結果をプロジェクタＰＪに転送するとともに、そのＩＰアドレスを記憶し（ステップＳ７７，Ｓ７８）、プロジェクタのＩＰアドレスと機器ＩＤ、自身のポート（プロジェクタが接続されたポート）との組み合わせを記憶する（ステップＳ７９）。
【００７９】
また、管理サーバＳＶからの要求に対する処理は、図１２（ｂ）に示すように、管理サーバＳＶからのプロジェクタの機器ＩＤの要求待ちの状態において、機器ＩＤの要求があるか否かを判定し（ステップＳ８０，Ｓ８１）、機器ＩＤの要求があれば、記憶していたＩＰアドレスと機器ＩＤ、自身のポートとの組み合わせから管理サーバＳＶに送信すべき機器ＩＤを取得し（ステップＳ８２）、取得した機器ＩＤを管理サーバＳＶに送信する（ステップＳ８３）。
【００８０】
図１３は実施形態１に係る画像表示システムにおけるスイッチングハブＳＷのプロジェクタの切断時処理を示すフローチャートである。図１３に示すように、プロジェクタＰＪからのＩＰアドレス接続待ちの状態において、ＩＰアドレスの解放要求があるか否かを判定し（ステップＳ９１，Ｓ９２）、ＩＰアドレスの解放要求があれば、ＩＰアドレス解放要求を管理サーバＳＶに転送する（ステップＳ９３）。
【００８１】
そして、ＩＰアドレス解放結果待ち状態において、ＩＰアドレスの解放が可能であるか否かを判定し（ステップＳ９４，Ｓ９５）、ＩＰアドレスの解放が可能であれば、ＩＰアドレスの解放結果をプロジェクタＰＪに転送し（ステップＳ９６）、記憶していたプロジェクタのＩＰアドレスと機器ＩＤ、自身のポートとの組み合わせを更新（削除）する（ステップＳ９７）。
【００８２】
以上説明したように、実施形態１に係る画像表示システムによれば、プロジェクタＰＪを所定の部屋で使用する場合、使用する部屋に設けられた接続端子（Ｔ１，Ｔ２，・・・のいずれか）に当該プロジェクタＰＪを接続することにより、プロジェクタＰＪはスイッチングハブＳＷの当該部屋に対応するポートに接続される。これによって、管理サーバＳＶ側では、プロジェクタＰＪの接続されたポートからそのプロジェクタＰＪがどの部屋に接続されたかを図５に示すようなスイッチングハブＳＷ（スイッチングハブＳＷ１，ＳＷ２，・・・）、ポートＰ１，Ｐ２，・・・、部屋の対応関係を示すテーブルによって知ることができる。
【００８３】
また、管理サーバＳＶ側では、図６に示すような機種取得テーブルによってプロジェクタＰＪの機器ＩＤから機種を特定し、特定された機種と使用する部屋とに基づいて、図７に示すような画質調整パラメータ取得テーブルから最適な画質調整パラメータを取得し、取得した画質調整パラメータを当該プロジェクタＰＪに送信するようにしている。
【００８４】
これにより、プロジェクタＰＪは管理サーバＳＶから送信されてきた画質調整パラメータに基づいて自身のカラーモードを設定するので、そのプロジェクタＰＪは当該プロジェクタを使用する部屋に最適なカラーモードでの投写が可能となる。
【００８５】
なお、これまでの説明では、管理サーバＳＶ側において、プロジェクタＰＪの機器認証を行わなかったが、管理サーバＳＶ側でプロジェクタＰＪの機器認証を行うことも可能である。この機器認証は、図６で示したＭＡＣアドレスを用いて行うことができるが、機器認証は機器ＩＤのみを利用して行うこともできる。
【００８６】
図１４は機器認証を行う場合の管理サーバＳＶの処理を説明するフローチャートである。図１４は図１１（ａ）に対応するものであり、全体的な処理の流れとしては図１１（ａ）とほぼ同じである。図１４に示すように、プロジェクタの接続待ち状態において、プロジェクタからスイッチングハブＳＷ経由でＩＰアドレス割り当て要求が出されると（ステップＳ１０１，Ｓ１０２）、スイッチングハブＳＷに対し、ＳＮＭＰなどを利用して、接続されたプロジェクタの機器ＩＤまたはＭＡＣアドレスの要求・取得を行う（ステップＳ１０３）。
【００８７】
そして、取得した機器ＩＤまたはＭＡＣアドレスから機器情報データベースＤＢ１上のデータと比較し（ステップＳ１０４）、機器情報データベースＤＢ１に登録データ（機器ＩＤまたはＭＡＣアドレス）があるか否かを判定し（ステップＳ１０５）、登録データがあれば、ステップＳ１０６以降の処理を行う。ステップＳ１０６以降の処理は、図１１（ａ）のステップＳ５３以降の処理と同じであるので、ここではその説明は省略する。
【００８８】
図１４に示すような処理を行うことにより、使用するプロジェクタＰＪの機器認証を行うことができる。これによって、ユーザの使用するプロジェクタＰＪについての管理を管理サーバＳＶ側で行うことができ、たとえば、本発明の画像表示システムを有料のサービスシステムとする場合などにおいて有効なものとなる。
【００８９】
[実施形態２]
実施形態２に係る画像表示システムは、実施形態１に係る画像表示システムにユーザ認証をさらに加えたものである。なお、ユーザ認証を行う際にはプロジェクタＰＪの認証情報記憶部２２５（図４参照）に記憶されたユーザＩＤなどのユーザ認証情報と管理サーバＳＶの認証情報データベースＤＢ３に保存されたユーザ認証情報とを比較することによって行う。
【００９０】
図１５は認証情報データベースＤＢ３に保存されたユーザ認証情報の一例を示す図である。ユーザ認証情報は、図１５に示すように、予め登録された複数のユーザそれぞれに付与されたユーザＩＤ（ＵＳＥＲ１，ＵＳＥＲ２，・・・とする）と、各ユーザが設定したパスワードとを有し、これらの他に、各ユーザＩＤごとに付加情報の設定ができるようにしてもよい。
【００９１】
この付加情報は、何らかの制限を設ける場合などにおいて用いられる情報であり、たとえば、各ユーザが利用可能な機種、利用可能期間、利用可能場所などを設定することができる。なお、各ユーザが利用可能な機種はプロジェクタＰＪの機器ＩＤで定義することが可能である。また、パスワードは各ユーザがプロジェクタＰＪの操作パネルや表示画面あるいはＰＣ（パーソナルコンピュータ）上から設定・変更が可能となっている。
【００９２】
図１６は実施形態２に係る画像表示システムの全体的な処理の流れを説明するフローチャートである。図１６のフローチャートは図９のフローチャートに対応するものであるが、スイッチングハブＳＷはユーザ認証に関する処理に関与しないので、図１６ではスイッチングハブＳＷの処理は省略されている。
【００９３】
なお、図１６が図９と異なるのは、プロジェクタＰＪ側の処理においては、図９のステップＳ３（図１６のステップＳ１２３）と図９のステップＳ４（図１６のステップＳ１２６）との間に、ユーザ認証情報を管理サーバＳＶへ送信する処理（ステップＳ１２４）と認証が可能か否かの判定を行う処理（ステップＳ１２５）が加わっている点であり、また、管理サーバＳＶ側の処理においては、図９のステップＳ２１（図１６のステップＳ１３１）と図９のステップＳ２２（図１６のステップＳ１３４）との間に、プロジェクタＰＪから送られてきたユーザ認証情報を図３で示した認証情報データベースＤＢ３上のユーザ認証情報と比較することによってユーザ認証処理を行い（ステップＳ１３２）、ユーザ認証が可能か否かを判定する処理（ステップＳ１３３）が加わっている点が異なるだけであるので、その他の処理については説明を省略する。
【００９４】
図１７は実施形態２に係る画像表示システムにおけるプロジェクタの処理の流れをより詳細に説明するフローチャートである。図１７のフローチャートは図１０のフローチャートに対応するものであるが、図１７が図１０と異なるのは、図１０のステップＳ３６（図１７のステップＳ１４６）と図１０のステップＳ３７（図１７のステップＳ１４９）との間に、ユーザ認証情報を管理サーバＳＶへ送信する処理（ステップＳ１４７）と認証が可能か否かの判定を行う処理（ステップＳ１４８）が加わる点だけであるので、その他の処理については説明を省略する。
【００９５】
図１８は実施形態２に係る画像表示システムにおける管理サーバの処理（接続・設定処理）の流れをより詳細に説明するフローチャートである。図１８のフローチャートは図１１（ａ）のフローチャートに対応するものであるが、図１８が図１１（ａ）と異なるのは、図１１（ａ）のステップＳ５４（図１８のステップＳ１６４）と図１１（ａ）のステップＳ５５（図１８のステップＳ１６８）との間に、プロジェクタＰＪから送られてきたユーザ認証情報を図３で示した認証情報データベースＤＢ３上のユーザ認証情報と比較することによって認証処理を行い（ステップＳ１６５）、認証結果をプロジェクタＰＪに送信し（ステップＳ１６６）、認証可能か否かを判定する処理（ステップＳ１６７）が加わる点だけであるので、その他の処理については説明を省略する。
【００９６】
なお、管理サーバＳＶにおける切断・終了処理は図１１（ｂ）と同じであるので図示及びその説明は省略する。
【００９７】
このようなユーザ認証を行うことによって管理サーバＳＶ側でユーザのプロジェクタの使用状況などを把握することができる。また、機器認証とユーザ認証の両方を行うことにより、どのユーザがどのプロジェクタをどのように使用しているかを把握することができるので、管理サーバＳＶ側では様々な管理を容易に行うことができる。したがって、本発明の画像表示システムを有料のサービスシステムとする場合などにおいて有効なものとなる。
【００９８】
[実施形態３]
実施形態３に係る画像表示システムは、ユーザが過去にどの部屋でどのような画質調整パラメータを使用したかといったユーザの過去の画質調整パラメータの使用状況をユーザ履歴として保存し、管理サーバＳＶ側ではそのユーザ履歴を反映した画質調整パラメータを取得して、取得した画質調整パラメータを当該ユーザの使用するプロジェクタＰＪに送信する例である。なお、説明を簡単化するために、ユーザ認証を行わない実施形態１に係る画像表示システムに適用する例について説明する。
【００９９】
図１９は実施形態３に係る画像表示システムの全体的な処理の流れを説明するフローチャートである。図１９は図９に対応する図であるが、スイッチングハブＳＷはユーザ履歴を反映させた画質調整パラメータの取得に関する処理に関与しないので、図１９ではスイッチングハブＳＷの処理手順は省略されている。
【０１００】
また、図１９が図９と異なるのは、プロジェクタＰＪ側の処理においては、図９のステップＳ３（図１９のステップＳ１８３）と図９のステップＳ４（図１９のステップＳ１８５）との間に、ユーザＩＤを管理サーバＳＶへ送信する処理（図１９のステップＳ１８４）が加わる点であり、管理サーバＳＶ側の処理においては、図９のステップＳ２５の処理が、実施形態３においては、補正情報データベースＤＢ２のユーザ履歴テーブル（図２０参照）から、当該ユーザとプロジェクタの機種と部屋とに基づいて当該ユーザの画質調整パラメータ使用履歴（ユーザが過去に使用した画質調整パラメータ）を取得する処理（図１９のステップＳ１９５）に変わる点が異なるだけであるので、その他の処理については説明を省略する。
【０１０１】
図２０は各ユーザのユーザ履歴の取得が可能なユーザ履歴テーブルの一例を示す図である。このようなユーザ履歴テーブルは、補正情報データベースＤＢ２に保存されているものとする。
【０１０２】
ユーザ履歴テーブルは、図２０に示すように、「ＵＳＥＲ１」，「ＵＳＥＲ２」，・・・のユーザＩＤを有する各ユーザごとのユーザ履歴として、各ユーザがプロジェクタ（機種：ＥＭＰ−ｘｘｘ，ＥＭＰ−ｙｙｙ，・・・）を会議室Ａ１、視聴覚室Ｂ１などの部屋で使用した場合、過去にどのような画質調整用パラメータを使用したかを示す情報が保存されている。
【０１０３】
たとえば、「ＵＳＥＲ１」のユーザＩＤを有するユーザは、「ＥＭＰ−ｘｘｘ」という機種のプロジェクタを会議室Ａ１で使用した場合、過去には、「プレゼンテーションモード」を２回、「ダイナミックモード」を１回設定したというように過去数回分の画質調整パラメータ使用履歴が保存されている。
【０１０４】
なお、図２０は、ユーザの各部屋ごとの画質調整パラメータ使用履歴を過去数回分保存した例が示されている。このように、過去数回分の画質調整パラメータ使用履歴を保存することにより、管理サーバＳＶでは、その数回分の画質調整パラメータ使用履歴をユーザに提示して、ユーザにその中から選択させるようにすることができる。また、管理サーバＳＶでは、当該ユーザの画質調整パラメータ使用履歴から画質調整パラメータの使用頻度を調べて、当該ユーザの好みの画質調整パラメータを選択してユーザに提示することも可能である。
【０１０５】
また、ユーザがプロジェクタの画質調整パラメータを自ら設定した場合には、その画質調整パラメータ設定結果を画質調整パラメータ使用履歴に反映させることもできる。なお、ユーザによるプロジェクタの画質調整パラメータの設定は、たとえば、表示面上に、ＲＧＢの各値、明るさ、コントラストなどを微調整可能な画面を表示させて、その画面上で行うことが可能である。
【０１０６】
図２１はユーザが自身のプロジェクタの画質調整パラメータを自ら設定した場合のプロジェクタＰＪ側の処理の流れを示すフローチャートである。図２１に示すように、プロジェクタＰＪの投写中または調整待ちの状態において画質調整パラメータ調整モードか否かを判定し（ステップＳ２０１，Ｓ２０２）、ユーザによって画質調整パラメータ調整モードとされると、管理サーバＳＶとの接続を確認し（ステップＳ２０３）、ユーザが画質調整パラメータを調整してその調整結果を決定する（ステップＳ２０４）。そして、ユーザＩＤとそのユーザによって決定された画質調整パラメータを管理サーバＳＶに送信する（ステップＳ２０５）。
【０１０７】
管理サーバＳＶ側では、プロジェクタＰＪからのデータ待ちの状態においてプロジェクタＰＪからのデータの有無を判定し（ステップＳ２１１，Ｓ２１２）、プロジェクタＰＪからのデータがあると、プロジェクタＰＪから送信されてきたユーザＩＤをもとに補正情報データベースＤＢ２のユーザ履歴テーブル（図２０参照）から該当ユーザの画質調整パラメータ使用履歴を検索する（ステップＳ２１３）。
【０１０８】
なお、ステップＳ２１２において、プロジェクタＰＪからのデータが画質調整パラメータであるか否かの判断は、プロジェクタＰＪから管理サーバＳＶへ画質調整パラメータの送信を行う際のプロトコルを定義し、そのプロトコルによる通信であるか否かを判定することによって行うことができる。
【０１０９】
そして、プロジェクタＰＪから送信されてきた画質調整パラメータによって補正情報データベースＤＢ２のユーザ履歴テーブルの内容を更新する（ステップＳ２１４）。
【０１１０】
このように、ユーザが自身のプロジェクタの画質調整パラメータを自ら設定した場合、その設定結果を画質調整パラメータ使用履歴に反映させることによって、管理サーバＳＶ側では、当該ユーザに対しては、当該ユーザの過去の画質調整パラメータ使用履歴に基づいた画質調整パラメータを当該ユーザに送信することができる。これによって、管理サーバＳＶ側では、プロジェクタの機種、使用場所だけでなくそのプロジェクタを使用するユーザの好みが反映された画質調整パラメータをプロジェクタに送信することができる。
【０１１１】
なお、上述の説明では、ユーザ認証を行わない実施形態１に係る画像表示システムにユーザ履歴を反映させる場合であったが、ユーザ認証を行う実施形態２に係る画像表示システムにも適用できることは勿論である。
【０１１２】
[実施形態４]
実施形態４に係る画像表示システムは、プロジェクタの使用時刻を考慮した画質調整パラメータを設定可能とするものである。
【０１１３】
図２２は実施形態４に係る画像表示システムに用いられる画質調整パラメータ取得テーブルを示す図である。図２２に示す画質調整パラメータ取得テーブルは、プロジェクタＰＪの機種とその機種を使用する部屋ごとに複数の時間帯が設定され、かつ、各時間帯に対応して画質調整パラメータが設定されている。
【０１１４】
なお、図２２の例では、「ＥＭＰ−ｘｘｘ」という機種のプロジェクタをリビングで使用する場合、使用する時間帯が「０７：００〜１５：００」では「ダイナミックモード」、使用する時間帯が「１５：００〜１８：００」では「リビングモード」というように、同じ機種を同じ部屋で使用する場合であっても、使用する時間帯に応じたカラーモードが設定されている。
【０１１５】
この図２２に示すような画質調整パラメータ取得テーブルを用いることによって、管理サーバＳＶは、プロジェクタＰＪの機種、使用する部屋の他に、プロジェクタＰＪの使用時刻を取得し、かつ、取得した使用時刻がどの時間帯に属するかを判定することによって、その時間帯において最適な画質調整パラメータを取得することができる。これにより、ユーザが同じ機種を同じ部屋で使用する場合であっても、プロジェクタの使用時刻に応じた最適なカラーモードでプロジェクタを投写することができる。
【０１１６】
なお、プロジェクタＰＪの使用時刻は、図１１（ａ）のステップＳ５８で説明したように、管理サーバＳＶが現在時刻を取得して、取得した現在時刻を管理情報（図８参照）に記録しているので、その管理情報に記録された現在時刻を当該プロジェクタの使用時刻として用いることができる。そして、その使用時刻がたとえば図２２の複数の時間帯のどの時間帯に属するかを判定することによって、使用時刻に対応する画質調整パラメータを取得することができる。
【０１１７】
また、管理サーバＳＶがタイマ機能を有する場合には、図２２に示す各時間帯になったら、その時間帯に最適な画質調整パラメータを自動的に設定して、設定した画質調整パラメータをプロジェクタに送信することもできる。
【０１１８】
なお、上述した各時間帯における画質調整パラメータは、実施形態３で説明した各ユーザの画質調整パラメータ使用履歴であってもよい。たとえば、図２２における「０７：００〜１５：００」における画質調整パラメータとして、当該ユーザの過去数回分の画質調整パラメータ使用履歴が「リビングモード」が２回、「ダイナミックモード」が１回であるとすれば、これらのカラーモードを「０７：００〜１５：００」に対する画質調整パラメータとする。
【０１１９】
そして、実施形態３に係る画像表示システムで説明したように、管理サーバＳＶでは、その数回分の画質調整パラメータ使用履歴をユーザに提示して、ユーザにその中から選択させたり、当該ユーザの画質調整パラメータ使用履歴から画質調整パラメータの使用頻度を調べて、当該ユーザの好みの画質調整パラメータを選択してユーザに提示したりすることも可能である。
【０１２０】
このように、各時間帯における画質調整パラメータを、当該ユーザの画質調整パラメータ使用履歴とすることによって、管理サーバＳＶ側では、プロジェクタの機種、使用場所、使用時刻（時間帯）だけでなく、その使用時刻（時間帯）において当該プロジェクタを使用するユーザの好みが反映された画質調整パラメータをプロジェクタに送信することができる。
【０１２１】
なお、本発明は前述の各実施形態に限られるものではなく、本発明の要旨を逸脱しない範囲で種々変形実施可能となるものである。たとえば、前述の各実施形態では、画質調整パラメータとしては、図７に示したように、機種と部屋ごとに「ダイナミックモード」、「シアターモード」といったカラーモードを設定するためのデータとしたが、より詳細な画質調整を可能とする画質調整パラメータとすることもできる。
【０１２２】
図２３はより詳細な画質調整のための画質調整パラメータの取得が可能な画質調整パラメータ取得テーブルの一例を示す図である。図２３に示すように、プロジェクタの機種、部屋に対応する画質調整パラメータとして、ＲＧＢの各値、明るさ、コントラストなどが画質調整パラメータとして設定されている。
【０１２３】
なお、ＲＧＢの各値はたとえば０〜２５５の間のある値が設定され、明るさ及びコントラストはたとえば０〜１００％の間のある値が設定される。このようなプロジェクタの画質調整パラメータのより詳細な調整は、前述したように、たとえば、表示面上に、ＲＧＢの各値、明るさ、コントラストなどを微調整可能な画面を表示させて、その画面上で行うことが可能である。
【０１２４】
このように、「ダイナミックモード」、「シアターモード」といったカラーモードの設定ではなく、より詳細な画質調整を可能とする画質調整パラメータの設定を可能とすることによって、機種や使用場所に応じてより最適な画質設定を行うことができる。
【０１２５】
また、このような、より詳細な画質調整パラメータの設定を可能とすることによって、ユーザがＲＧＢの各値、明るさ、コントラストなどを微調整した場合、その微調整によって得られた、より詳細な画質調整パラメータをユーザ履歴として管理サーバＳＶ側で保存することができる。
【０１２６】
なお、図２３の例では、より詳細な画質調整パラメータとして、ＲＧＢの各値、明るさ、コントラストを示したが、これに限らず、たとえば、ＲＧＢに加えてＣＭＹの各値、色相や彩度、色温度や肌色温度、ガンマ補正などを設定することもできる。
【０１２７】
また、以上説明した各実施形態において、１つの部屋で複数のプロジェクタの使用を可能とすることも可能であり、その場合、図２４に示すように各部屋にハブＨＢを設けるような構成としてもよい。
【０１２８】
図２４は１つの部屋で複数のプロジェクタの使用を可能とする例を説明する図である。図２４の例では会議室Ａ１を例にとって説明するが、他の部屋も同様に考えることができる。このように、１つの部屋（会議室Ａ１とする）で複数のプロジェクタの使用を可能とするには、たとえば、図２４に示すように、会議室Ａ１にハブＨＢを設け、このハブＨＢにプロジェクタＰＪ１，ＰＪ２，・・・を接続することにより、ハブＨＢに接続された各プロジェクタＰＪ１，ＰＪ２，・・・は、いずれもスイッチングハブＳＷのポートＰ１に接続される。
【０１２９】
このように、同じ部屋で複数のプロジェクタを使用する場合、複数のプロジェクタはいずれもスイッチングハブＳＷの同じポートに接続されるため、１つの部屋で複数のプロジェクタを使用する場合であっても、ポートと部屋の対応をとることができる。
【０１３０】
また、これまで説明した各実施形態では、スイッチングハブＳＷのポートＰ１，Ｐ２，・・・をネットワーク接続手段として用い、プロジェクタＰＪがスイッチングハブＳＷのどのポートに接続されたかによって、プロジェクタＰＪの使用場所を特定する例であったが、ネットワーク接続手段としてアクセスポイントを使用することによってもプロジェクタの使用場所の特定を行うことができる。
【０１３１】
図２５はアクセスポイントを使用してプロジェクタの使用場所の特定を行う画像表示システムの構成を示す図である。図２５において図１と同一構成要素には同一符号が付されている。図２５が図１と異なるのは、プロジェクタＰＪをネットワークＮＷに接続するためのアクセスポイントＡＰ１，ＡＰ２，・・・が各部屋に設けられている点である。
【０１３２】
この図２５に示す画像表示システムにおいては、各部屋でプロジェクタＰＪを使用する際は、当該プロジェクタＰＪは各部屋に設けられたアクセスポイントＡＰ１，ＡＰ２，・・・に接続されることによって、ネットワークＮＷを介して管理サーバＳＶと接続されるので、管理サーバＳＶではどのプロジェクタＰＪがどの部屋で使用されているかがわかる。その他の処理についてはこれまでの各実施形態と同様に実施できるので、ここでは説明を省略する。
【０１３３】
なお、各部屋で使用されるプロジェクタと対応するアクセスポイントとの接続は有線であっても無線であってもよい。図２５の例では、会議室Ａ１及び共用スペースＣ１ではプロジェクタＰＪは無線によってアクセスポイントＡＰ１，ＡＰ３に接続され、視聴覚室Ｂ１ではプロジェクタＰＪは有線によってアクセスポイントＡＰ２に接続される例が示されている。
【０１３４】
また、前述の各実施形態では、管理サーバＳＶにＤＨＣＰ処理部１２を設けることによって管理サーバＳＶがＤＨＣＰサーバとしての機能を有するようにしたが、管理サーバＳＶとＤＳＨＣＰサーバ（ＤＶの符号を付す）とを別体で設けるようにしてもよい。
【０１３５】
図２６は管理サーバＳＶとＤＨＣＰサーバＤＶとを別体で設けた場合の画像表示システムの構成を示す図であり、このように、ＤＨＣＰサーバＤＶを管理サーバＳＶと別体で設けるような構成としても前記各実施形態を実現することが可能である。なお、図２６は図１に適用した例が示されているが、図２５においても適用できることは勿論である。
【０１３６】
また、前述の各実施形態では、プロジェクタＰＪが直接、管理サーバＳＶと情報の授受を行うような例で説明したが、プロジェクタＰＪをＰＣに接続してＰＣを介して管理サーバＳＶと情報の授受を行うようにしてもよい。
【０１３７】
また、前述の各実施形態では、プロジェクタＰＪの使用場所やプロジェクタの使用時刻（時間帯）に最適な画質調整パラメータの設定を行う例について説明したが、使用場所や使用時刻(時間帯)だけではなく、たとえば、投写するコンテンツの内容をも考慮して最適なカラー調整パラメータを設定するようにしてもよい。
【０１３８】
また、本発明は以上説明した本発明における管理サーバの画質調整パラメータ設定プログラムを作成し、その画質調整パラメータ設定プログラムを各種の記録媒体に記録させておくこともできる。したがって、本発明は、前記管理サーバの画質調整パラメータ設定プログラムの記録された記録媒体をも含むものである。また、ネットワークから前記管理サーバの画質調整パラメータ設定プログラムを得るようにしてもよい。
【図面の簡単な説明】
【０１３９】
【図１】実施形態１に係る画像表示システムの構成を示す図。
【図２】スイッチングハブＳＷの各ポートＰ１，Ｐ２，Ｐ３，・・・と各部屋（図１では会議室Ａ１、視聴覚室Ｂ１、共用スペースＣ１）との対応を説明する図。
【図３】機器制御側としての管理サーバＳＶの構成を示す図。
【図４】ユーザ側で用いられるプロジェクタＰＪの構成を示す図。
【図５】スイッチングハブＳＷと当該スイッチングハブＳＷに設けられたポートＰ１，Ｐ２，・・・と部屋の対応を示す図。
【図６】管理サーバＳＶの機器情報データベースＤＢ１が有する機種取得テーブルの一例を示す図。
【図７】補正情報データベースＤＢ２が有する画質調整パラメータ取得テーブルの一例を示す図。
【図８】管理サーバＳＶが有する管理情報の一例を示す図。
【図９】実施形態１に係る画像表示システムの全体的な処理の流れを説明するフローチャート。
【図１０】実施形態１に係る画像表示システムにおけるプロジェクタの処理の流れをより詳細に説明するフローチャート。
【図１１】実施形態１に係る画像表示システムにおける管理サーバＳＶの処理の流れをより詳細に説明するフローチャート。
【図１２】実施形態１に係る画像表示システムにおけるスイッチングハブＳＷの処理の流れをより詳細に説明するフローチャート。
【図１３】実施形態１に係る画像表示システムにおけるスイッチングハブＳＷのプロジェクタの切断時処理を示すフローチャート。
【図１４】機器認証を行う場合の管理サーバＳＶの処理を説明するフローチャート。
【図１５】認証情報データベースＤＢ３に保存されたユーザ認証情報の一例を示す図。
【図１６】実施形態２に係る画像表示システムの全体的な処理の流れを説明するフローチャート。
【図１７】実施形態２に係る画像表示システムにおけるプロジェクタの処理の流れをより詳細に説明するフローチャート。
【図１８】実施形態２に係る画像表示システムにおける管理サーバの処理（接続・設定処理）の流れをより詳細に説明するフローチャート。
【図１９】実施形態３に係る画像表示システムの全体的な処理の流れを説明するフローチャート。
【図２０】各ユーザのユーザ履歴の取得が可能なユーザ履歴テーブルの一例を示す図。
【図２１】ユーザが自身のプロジェクタの画質調整パラメータを自ら設定した場合のプロジェクタＰＪ側の処理の流れを示すフローチャート。
【図２２】実施形態４に係る画像表示システムに用いられる画質調整パラメータ取得テーブルを示す図。
【図２３】より詳細な画質調整のための画質調整パラメータの取得が可能な画質調整パラメータ取得テーブルの一例を示す図。
【図２４】１つの部屋で複数のプロジェクタの使用を可能とする例を説明する図。
【図２５】アクセスポイントを使用してプロジェクタの使用場所の特定を行う画像表示システムの構成を示す図。
【図２６】管理サーバＳＶとＤＨＣＰサーバＤＶとを別体で設けた場合の画像表示システムの構成を示す図。
【符号の説明】
【０１４０】
ＰＪ・・・プロジェクタ、ＳＷ・・・スイッチングハブ、Ｐ１，Ｐ２，Ｐ３・・・ポート、ＳＶ・・・管理サーバ、ＮＷ・・・ネットワーク、ＤＢ１・・・機器情報データベース、ＤＢ２・・・補正情報データベース、ＤＢ３・・・補正情報データベース
【図１】
2007139855.tif 000003
【図３】
2007139855.tif 000004
【図４】
2007139855.tif 000005
【図５】
2007139855.tif 000006
【図６】
2007139855.tif 000007
【図７】
2007139855.tif 000008
【図８】
2007139855.tif 000009
【図９】
2007139855.tif 000010
【図１０】
2007139855.tif 000011
【図１１】
2007139855.tif 000012
【図１２】
2007139855.tif 000013
【図１３】
2007139855.tif 000014
【図１４】
2007139855.tif 000015
【図１５】
2007139855.tif 000016
【図１６】
2007139855.tif 000017
【図１７】
2007139855.tif 000018
【図１８】
2007139855.tif 000019
【図１９】
2007139855.tif 000020
【図２０】
2007139855.tif 000021
【図２１】
2007139855.tif 000022
【図２２】
2007139855.tif 000023
【図２３】
2007139855.tif 000024
【図２６】
2007139855.tif 000025
【図２】
2007139855.tif 000026
【図２４】
2007139855.tif 000027
【図２５】
2007139855.tif 000028